(57)【要約】【課題】  鍵盤の押し切り位置付近での連打が可能な簡単な構造のアップライトピアノのアクションを提供する。【解決手段】  バット３１に固定されたキャッチャ４１に取り付けられたフック４３に、ハンマアセンブリ２１及びウイペン５１の回転軸と平行な軸６５周りに回転自在に支持されるレバー６４との先端部のロッド６７を係合させ、レバー６４に一端が取り付けられたスプリング６３と、スプリング６３の他端とウイペン５１に固定されたバックチェック６１とをコード６２で連結することにより、鍵盤９５のハンマストップ状態の解放時にハンマアセンブリ２１を打弦方向へ回動するように付勢し、ハンマアセンブリ２１の打弦前の静止位置方向への復帰を遅らせて、ウイペン５１に連接するジャック８１がバット３１を駆動する位置へ復帰することを促進する。【選択図】  図１
2005345896.tif 000002
【特許請求の範囲】
【請求項１】
鍵盤の動きに連動して回動するウイペンと、前記ウイペンに連接したジャックにより駆動されるバットと、前記バットと一体的に設けられたキャッチャと、前記バットとともに回動し、弦を打撃するハンマアセンブリと、打弦後、前記ハンマアセンブリの打弦方向とは反対方向に回動する前記キャッチャを受け止めるバックチェックとからなるアップライトピアノのアクションにおいて、
前記キャッチャに設けられたフックと、
ピアノ本体に回動可能に支持され、ハンマストップ状態からの解放時に前記フックと係合するレバーと、
前記フックと係合した前記レバーの回動を制限する回動制限手段と、を備えたことを特徴とするアップライトピアノのアクション。
【請求項２】
前記回動制限手段は、前記レバーに取り付けられたスプリングと、前記スプリングと前記バックチェックとを連結するコードとを備えたことを特徴とする、請求項１記載のアップライトピアノのアクション。
【請求項３】
前記フックが天板と底板のない筒状部材であることを特徴とする、請求項１記載のアップライトピアノのアクション。
【請求項４】
前記フックが前記キャッチャと一体的に成形されていることを特徴とする、請求項３記載のアップライトピアノのアクション。
【請求項５】
前記スプリングが髭ばねであることを特徴とする、請求項２記載のアップライトピアノのアクション。
【請求項６】
前記回動制限手段は、前記バックチェックの上面と当接する前記レバーの当接部からなることを特徴とする、請求項１記載のアップライトピアノのアクション。
【発明の詳細な説明】
【技術分野】
【０００１】
本発明は、アップライトピアノのアクションに関する。
【背景技術】
【０００２】
従来のアップライトピアノのアクションの打弦前の静止状態を図６に示す。
従来より、アップライトピアノのアクション１００は、鍵盤１１０の動きをハンマアセンブリ１１６の打弦に導く伝達部としてウイペン１１１、ジャック１１３、バット１１４を有している。
【０００３】
鍵盤１１０を押し下げるとキャプスタン１１９が上方に移動し、ウイペン１１１が反時計周り方向に回動する。ウイペン１１１が反時計周り方向に回動すると、ウイペン１１１に連接したジャック１１３がバット１１４を突き上げてハンマアセンブリ１１６を反時計周り方向に回動させ、ハンマアセンブリ１１６による弦１２１の打弦が行われる。
【０００４】
ハンマアセンブリ１１６は、打弦後時計周り方向に回動し、押鍵が持続している間キャッチャ１１５がバックチェック１１２に当接したいわゆるハンマストップ状態が維持される。
【０００５】
しかしながら、従来のアクションでは、押鍵から次の打弦に移るために鍵盤１１０が押し切り位置から僅かに上方へ戻されると、鍵盤１１０の押鍵部の上方への動きに連動してウイペン１１１が時計周り方向に回動を始める。そうすると、ウイペン１１１に固定されたバックチェック１１２がウイペン１１１の時計周り方向への回動に連動して時計回り方向に回動を始め、キャッチャ１１５がバックチェック１１２と当接したハンマストップ状態から解放されキャッチャ１１５とバックチェック１１２との間に隙間が生じる。その瞬間、バットスプリング１２３によって時計回り方向に常に付勢されているバット１１４は時計周り方向に回動を始め、ジャック１１３がバット１１４を突き上げることができる位置へ復帰回動する前にバット１１４が回動してしまう。
【０００６】
このため、ジャック１１３はバット１１４によって復帰を阻止され、鍵盤１１０が静止位置近くまで戻らないとバット１１４を駆動する位置に復帰できない。ジャック１１３が戻らない状態で次の押鍵が行われると、ウイペン１１１は反時計周り方向に回動を始めるが、ジャック１１３はバット１１４を駆動しないため、ハンマアセンブリ１１６は打弦に至らないままキャッチャ１１５がバックチェック１１２に当接した状態で保持されてしまい、それ以上鍵盤１１０は動かない状態になってしまう。
【０００７】
即ち、アップライトピアノのアクションでは、鍵盤１１０をその静止位置近くまで復帰させないと、連打ができないという問題があった。
このような問題に対処するために、下記特許文献には、バットから延出するキャッチャシャンクに固定部材を設け、その固定部材の端部にレペティションレバーを取り付け、レペティションレバーをばねで常に反時計回り方向に付勢しておくことにより、レペティションレバーが取り付けられたバットを反時計回り方向に付勢しハンマストップ解放時のハンマアッセンブリの時計回り方向への回動を規制しようとする機構が記載されている。
【特許文献１】特開平５−３２３９５３号公報
【発明の開示】
【発明が解決しようとする課題】
【０００８】
しかしながら、上記文献に記載された機構は、固定部材やレペティションレバーなど複雑な形状の新設部品の追加が必要であり、それらの新設部品の追加によりアクションの部品点数が増加するとともにその構造が複雑になり、さらに組付け工数も増加する結果、アクションの製造コストが増加するという問題があった。
【０００９】
本発明は、上記の事情に鑑みなされたもので、その目的は、鍵盤ストロークの押し切り位置付近での連打が可能な簡単な構造のアップライトピアノのアクションを提供することにある。
【課題を解決するための手段】
【００１０】
上記課題を達成するために、請求項１に記載のアップライトピアノのアクションは、鍵盤の動きに連動して回動するウイペンと、前記ウイペンに連接したジャックにより駆動されるバットと、前記バットと一体的に設けられたキャッチャと、前記バットとともに回動し、弦を打撃するハンマアセンブリと、打弦後、前記ハンマアセンブリの打弦方向とは反対方向に回動する前記キャッチャを受け止めるバックチェックとからなるアップライトピアノのアクションにおいて、前記キャッチャに設けられたフックと、ピアノ本体に回動可能に支持され、ハンマストップ状態からの解放時に前記フックと係合するレバーと、前記フックと係合した前記レバーの回動を制限する回動制限手段と、を備えたことを特徴としている。
【００１１】
このような構成によると、ハンマストップ状態からの解放時に回動制限手段を用いてレバーが時計回りに回動するように付勢し、ハンマアセンブリの復帰回動を遅延させることができる。その間にジャックがバットを駆動する位置に復帰するので、鍵盤ストロークの押し切り位置付近での連打性を改善することができる。
【００１２】
又、請求項２に記載の発明は、請求項１記載のアップライトピアノのアクションにおいて、前記回動制限手段は、前記レバーに取り付けられたスプリングと、前記スプリングと前記バックチェックとを連結するコードとを備えたことを特徴としている。
【００１３】
このような構成によると、バックチェックに連結されたコードがスプリングを引っ張るためスプリングに付勢力が発生し、その付勢力によってレバーの回動を制限することができる。
【００１４】
又、請求項３に記載の発明は、請求項１記載のアップライトピアノのアクションにおいて、前記フックが天板と底板のない筒状部材であることを特徴としている。
このような構成によると、フックの構造が簡単であるのでフックを追加することによりアクションの構造が複雑になることがない。
【００１５】
又、請求項４に記載の発明は、請求項３記載のアップライトピアノのアクションにおいて、前記フックが前記キャッチャと一体的に成形されていることを特徴としている。
このような構成によると、アクションの部品点数及び組付け工数を減少させることができる。
【００１６】
又、請求項５に記載の発明は、請求項２記載のアップライトピアノのアクションにおいて、前記スプリングが髭ばねであることを特徴としている。
このような構成によると、スプリングの構造が簡単になるためスプリングを追加することによりアクションの構造が複雑になることを防止することができる。
【００１７】
請求項６に記載の発明は、請求項１記載のアップライトピアノのアクションにおいて、前記回動制限手段は、前記バックチェックの上面と当接する前記レバーの当接部からなることを特徴としている。
【００１８】
このような構成によると、ハンマストップ状態からの解放時にレバーの下面がバックチェックの上面に当接するためレバーの回動が制限され、ハンマアセンブリの復帰回動を遅延させることができる。その間にジャックがバットを駆動する位置に復帰するので、鍵盤ストロークの押し切り位置付近での連打性を改善することができる。
【発明を実施するための最良の形態】
【００１９】
以下に、本発明の実施形態について図面を参照して説明する。
図１は、本発明に係るアップライトピアノのアクションの側断面図である。図１を参照してアクション１全体の概略構造について説明する。
【００２０】
以下の説明において、図１における鍵盤９５の演奏者に近い側（図１のＦ方向側）をアクション１の前方と呼ぶ。図１における演奏者から遠ざかる側（図１のＲ方向側）をアクション１の後方と呼ぶ。図１における上側（図１のＵ方向側）をアクション１の上方と呼び、図１における下側（図１のＤ方向側）をアクション１の下方と呼ぶ。また、図１の紙面に垂直な方向をアクション１あるいはピアノの左右方向と呼ぶ。
【００２１】
ピアノ本体には、鍵盤９５の幅方向に亘って左右方向に延在するセンタレール９１、ハンマレール２３、レギュレチングレール３６が固定されている。
センタレール９１は、鍵盤９５の幅方向（左右方向）に亘って延びている長尺部材である。センタレール９１は、左右方向の数箇所でブラケット９２によってピアノ本体に固定されている。
【００２２】
センタレール９１の上面には、ダンパフレンジ７６が固定されている。ダンパフレンジ７６には上下方向に延在する長尺状のダンパレバー７１がピン７７を介して回動自在に取り付けられている。ダンパレバー７１の上端には、ダンパワイヤ７３が上方に向けて立設されている。ダンパワイヤ７３の上端部には、ダンパヘッド７４が固定されている。ダンパヘッド７４には制振部７５が取り付けられている。制振部７５は、弦１１に当接している。
【００２３】
また、センタレール９１の上端部にはバットフレンジ３３が固定され、センタレール９１の下端部にはウイペンフレンジ５３が固定されている。バットフレンジ３３及びウイペンフレンジ５３については、後で述べる。
【００２４】
ハンマレール２３は、センタレール９１の全長に亘って鍵盤９５の幅方向に延在している。ハンマレール２３の側面には、ハンマレールクロス２４が取り付けられている。
レギュレチングレール３６は、センタレール９１に沿って鍵盤９５の幅方向に延在している。レギュレチングレール３６には、スクリューで上下方向の調整が可能なレギュレチングボタン３５が取り付けられている。
【００２５】
図１に示すアクション１は、ウイペン５１、ジャック８１、バット３１、ハンマアセンブリ２１及びダンパレバー７１などから構成されている。
ウイペン５１は、ピアノの前後方向（図１のＦあるいはＲ方向）に延在した板状の長尺部材である。ウイペン５１は、センタレール９１の下端部に固定されたウイペンフレンジ５３にピン５４を介して回動自在に取り付けられている。
【００２６】
ウイペン５１の前後方向の前端部側の上面には、前方側から順番にブライドルワイヤ６９とバックチェック６１とが固定され、バックチェック６１の後方側にはジャックスプリング８６が取り付けられている。ブライドルワイヤ６９の上端には、ブライドルテープ６８の一端が連結され、ブライドルテープ６８の他端はキャッチャシャンク４２に連結されている。ブライドルテープ６８は、ハンマアセンブリ２１の回動復帰をウイペン５１の回動復帰に追従させることにより、ハンマアセンブリ２１の跳ね返りに起因する弦１１の二度打ちを防止するためのものである。バックチェック６１は、ハンマアセンブリ２１のハンマシャンク２２とほぼ直交するキャッチャシャンク４２の先端部に固定されたキャッチャ４１を弾性的に受け止めるためのものである。ジャックスプリング８６は、ジャック小８５を反時計周り方向に付勢している。
【００２７】
ウイペン５１の前後方向の前端部側の下端には、ウイペンヒール５２が設けられている。ウイペンヒール５２の下面は、キャプスタン５５によって支持されている。
ウイペン５１の前後方向のほぼ中央部の上面には、上方へ向けて突出するジャックフレンジ８２が固定されている。ジャックフレンジ８２には、ピン８３を介してジャック８１が回動自在に取り付けられている。ジャック８１については後で詳細に述べる。
【００２８】
ウイペン５１の前後方向の後端部側には、ダンパスプーン７８が取り付けられている。
ダンパスプーン７８は、押鍵によりウイペン５１が反時計周り方向へ回動すると、ダンパレバー７１をダンパレバースプリング７２の付勢力に抗して時計回り方向に回転させダンパの制振部７５を弦１１から離間させるためのものである。
【００２９】
ジャック８１は、略Ｌ字状の長尺部材であり、斜め上方に向けて延在する長尺状のジャック大８４とこのジャック大８４にほぼ直交しジャック大８４より短いジャック小８５とから構成されている。ジャック大８４の上端面はバット３１の下面を覆うバットスキン３７に当接するようにされている。ジャック小８５には、ジャックスプリング８６が取り付けられている。ジャック８１は、略Ｌ字状の屈曲部で前述のようにピン８３を介してジャックフレンジ８２に回動自在に取り付けられている。従って、ジャック８１はジャックスプリング８６によって常に反時計回り方向に回動するように付勢されている。
【００３０】
バット３１は、センタレール９１の上部に固定されたバットフレンジ３３に設けられたピン３４を介して時計回り方向あるいは反時計回り方向に回動自在に取り付けられている。バット３１には、斜め上方へ向けて延在するハンマシャンク２２とハンマシャンク２２にほぼ直交する方向に延在するキャッチャシャンク４２とが固定されている。ハンマシャンク２２の上端部には、ハンマアセンブリ２１が固定されている。キャッチャシャンク４２の先端部にはキャッチャ４１が固定されている。バット３１の後方には、バット３１を常に時計周り方向に付勢するバットスプリング３２が取り付けられている。バットスプリング３２は、ハンマアセンブリ２１が弦１１を打弦後再び弦１１に接触しないようにするものである。さらに、バット３１の下面には、バット３１の下面を覆うバットスキン３７が取り付けられている。
【００３１】
ハンマアセンブリ２１は、バット３１に固定されたハンマシャンク２２の先端部に取り付けられている。ハンマシャンク２２は、押鍵されない静止状態ではハンマレール２３に取り付けられたハンマレールクロス２４に当接している。ハンマシャンク２２が反時計回り方向に回動するとハンマアセンブリ２１は弦１１を打撃し打弦音が発生する。
【００３２】
ダンパレバー７１は、ダンパフレンジ７６に設けられたピン７７周りに回動自在にダンパフレンジ７６に支持されている。ダンパレバー７１は、一端がダンパフレンジ７６に取り付けられ、他端がダンパレバー７１に取り付けられたダンパレバースプリング７２によって反時計周り方向に付勢されている。これにより、通常はダンパの制振部７５が弦１１を押さえて、他の弦が打弦されたときの弦の共振を防止している。
【００３３】
次に、図１のＡ部分を拡大した図２を参照して、ハンマストップ状態からの解放時にハンマアセンブリ２１の打弦前の静止位置方向への復帰回動を遅延させるための遅延機構６０について説明する。
【００３４】
図２に示す遅延機構６０は、フック４３、レバー６４、ロッド６７、コード６２及びスプリング６３とから構成されている。フック４３は、キャッチャシャンク４２の先端部に設けられたキャッチャ４１の上部に固定されている。フック４３は、天板と底板がない筒状の部材である。このような構造にすると、フックの構造が簡単であるのでフックを追加することによりアクション１の構造が複雑になることがない。レバー６４は、長尺状の部材である。レバー６４は、レバーフレンジ６６に設けられたピン６５を介して回動自在にレバーフレンジ６６に支持されている。レバーフレンジ６６は、ピアノ本体に固定されている。レバー６４の先端部には、ロッド６７が設けられ、その反対側にはスプリング６３の一端６３ａが固定されている。ロッド６７は、筒状の部材を貫通することによりフック４３に係合可能である。コード６２は、スプリング６３の他端６３ｂとバックチェック６１とを連結している。スプリング６３は、ピン６５を中心としてレバー６４が時計回り方向に回動するように付勢している。従って、レバー６４の先端部のロッド６７はフック４３に接触している。スプリング６３は、本実施形態では髭ばねである。髭ばねを用いることにより、スプリング６３の構造が簡単になるため、アクション１の構造が複雑になることを防止することができる。
【００３５】
次に、図１乃至図３を参照して本実施形態の作動状態について説明する。
図３は、アクションの作動状態を示す図である。図３（ａ）は、鍵盤９５が押鍵される前の静止位置を示す図である。図３（ｂ）は、押鍵持続状態を示す図である。図３（ｃ）は、押鍵が解除され始めた状態を示す図である。
【００３６】
鍵盤９５を下方へ押し下げると、鍵盤９５の後端部（図１のＲ方向側端部）が上昇し、鍵盤９５の後端部に固定されたキャプスタン５５がウイペン５１を押し上げ反時計回り方向に回動させる。ウイペン５１が反時計周り方向に回動を始めると、ウイペン５１に支持されたジャック大８４はバット３１に連結した状態でバット３１を突き上げる。バット３１は、反時計回り方向に回動するように駆動される。このように、鍵盤９５の押鍵によりバット３１が回動を始めると、バット３１に固定されたハンマアセンブリ２１が反時計周り方向に回動し弦１１を打弦する。また、バット３１に固定されたキャッチャ４１も回動を始める。
【００３７】
それと同時にウイペン５１に固定されたバックチェック６１も反時計回り方向に回動し、バックチェック６１から伸びたコード６２は、レバー６４に取り付けられたスプリング６３の端部を後方（図１のＲ方向）へ引くため、レバー６４にはレバー６４を時計回り方向に回動させようとする回動力が増加する。
【００３８】
一方、前述のようにバット３１に固定されたキャッチャ４１も回動し上昇するが、押鍵時はキャッチャ４１の上昇がレバー６４の回動よりも速いため、レバー６４の先端部のロッド６７とフック４３が接触することはない。
【００３９】
ハンマアセンブリ２１が弦１１を打弦した後は、ハンマアセンブリ２１は回動復帰し、キャッチャ４１はバックチェック６１に弾性的に受け止められる。押鍵持続中は、図３（ｂ）に示すようにキャッチャ４１はバックチェック６１に保持される。一方、レバー６４は、バックチェック６１に引っ張られた状態で、フック４３とロッド６７との間には若干の隙ができるようにフック４３とロッド６７との位置関係が調整されている。押鍵持続中は、この状態が維持される。
【００４０】
そこで、次の打弦に備え鍵盤９５が押鍵状態から解除されると、図３（ｃ）に示すようにバックチェック６１によるキャッチャ４１の保持が緩み、バックチェック６１とキャッチャ４１との間に僅かな隙間が生じる。これがいわゆるハンマストップ状態から解放された状態である。このとき、ハンマアセンブリ２１はバットスプリング３３の付勢力により時計回り方向に回動しようとするが、キャッチャ４１に取り付けられたフック４３はスプリング６３の付勢力により時計周り方向に回転しようとするロッド６７と係合しているので、ロッド６７が取り付けられているレバー６４の回動が制限される。そのため、ハンマアセンブリ２１の静止位置方向への復帰回動が遅れることになる。この間にジャック大８４がバット３１を突き上げ可能な位置まで戻り、次の打弦に備える。ウイペン５１がさらに復帰回動するとスプリング６３の付勢力が弱まり、ハンマアセンブリ２１が再び復帰回動を始める。
【００４１】
このようにすると、従来アップライトピアノのアクションでは不可能であった鍵盤ストロークの押し切り位置付近での連打が可能となり、鍵盤ストロークの押し切り位置付近での連打性を改善することができる。
【００４２】
また、鍵盤を作動させる場合のタッチに関して、グランドピアノのアクションでは、押鍵時に常にハンマアセンブリの重量を指先に感じることができ、鍵盤とハンマアセンブリが同調している感覚があり、これがグランドピアノのアクションの「タッチの良さ」の一つになっている。これは、ハンマアセンブリの重心とその回動軸の位置関係によるものである。一方、アップライトピアノのアクションではハンマアセンブリの回動軸の上方に重心があるため、軽い押鍵でハンマアセンブリの回動が先行してしまい、同調感が得られないという演奏者の不満がある。
【００４３】
同調感を得るために、図１に示すハンマアセンブリ２１のハンマシャンク２２の右側（図１のＦ方向側）で適切な位置に質量を付加することが考えられるが、従来のアップライトピアノのアクションでは鍵盤９５の押鍵解除時にバックチェック６１から解放されたハンマアセンブリ２１のジャックへの負荷も大きくなり、ジャックが戻りきれず、連打性が悪化するという不都合があった。
【００４４】
しかしながら、本発明によれば、ハンマアセンブリ２１のハンマシャンク２２の右側（図１のＦ方向側）で適切な位置に質量を付加しても、ハンマアセンブリ２１の復帰が遅れることにより連打性の改善が妨げられるということがない。
【００４５】
従って、本発明によれば鍵盤ストロークの押し切り位置付近での連打を可能にするとともにグランドピアノのアクションの「タッチの良さ」である同調感に近い感触を得ることができる。
【００４６】
また、本実施形態によれば、アクション１に追加する部品がフック４３、レバー６４、スプリング６３及びコード６２といったいずれも単純な形状の部品であるため、これらの部品を追加してもアクション１の構造が複雑になることはなく、これらの部品配置のためにアクション１に特別にスペースを設ける必要がない。従って、製造コストが著しく増加することもない。
【００４７】
図５に第２実施形態を示す。
図５に示す遅延機構６０ａは、フック４３、レバー６４ａ、ロッド６７、バックチェック６１ｂから構成されている。なお、第２実施形態において第１実施形態と同じ部品については同じ符号を付け、その説明を省略する。
【００４８】
キャッチャ４１の上部には、フック４３が固定されている。レバー６４ａは、長尺状の部材である。レバー６４ａは、レバーフレンジ６６に設けられたピン６５を介して回動自在にレバーフレンジ６６に支持されている。
【００４９】
レバー６４ａの先端部には、ロッド６７が設けられている。ロッド６７は、筒状のフック４３を貫通することによりフック４３と係合する。レバー６４ａの先端部下側の当接部６４ｂは、本実施形態ではバックチェック６１ａの背面６１ｂの軌跡（回転半径）に略一致した形状を備えている。
【００５０】
このようにすると、ウイペン５１の回動にもかかわらず、バックチェック６１の先端部６１ｂがレバー６４ａの当接部６４ｂと当接する結果、レバー６４ａは一時回転を止めるのでレバー６４ａの回動が制限される。そのためレバー６４ａの先端部のロッド６７と係合するフック４３を介してハンマアセンブリ２１の復帰回動を遅らせることができる。この間にジャック大８４がバット３１を突き上げ可能な位置まで戻り、次の打弦に備える。
【００５１】
このようにすると、従来アップライトピアノのアクションでは不可能であった鍵盤ストロークの押し切り位置付近での連打が可能になり、鍵盤ストロークの押し切り位置付近での連打性を改善することができる。
【００５２】
また、第２実施形態によれば、アクション１に追加する部品がフック４３、レバー６４ａといったいずれも単純な形状の部品であるため、これらの部品を追加してもアクション１の構造が複雑になることはなく、これらの部品配置のためにアクション１に特別にスペースを設ける必要がない。従って、製造コストが著しく増加することもない。
【００５３】
なお、フック４３は、予め別物で作成した後キャッチャ４１に例えば接着またはビスなどにより取り付けることができる。あるいは、フック４３をキャッチャ４１と一体的に成形してもよい。それにより、アクション１の部品点数を減少させ組付け工数を減少させることができる。
【００５４】
また、フック４３は、筒状の代わりに図４に示すような略Ｌ字状のフック４３ａとしてもよい。それにより、フック自体の形状及びキャッチャ４１への取り付けを一層簡素化することができる。
【００５５】
さらに、ロッド６７は予め別物として作成した後レバー６４に取り付けることができる。あるいはロッド６７をレバー６４と一体的に形成してもよい。それにより、アクション１の部品点数を減少させ組付け工数を減少させることができる。
【００５６】
以上本発明の実施形態について説明したが、請求項１あるいは２に記載の回動制限手段は、コード６２及びスプリング６３が相当する。請求項６に記載の回動制限手段は、レバー６４ａの当接部６４ｂが相当する。
【図面の簡単な説明】
【００５７】
【図１】アップライトピアノのアクションの側断面図である。
【図２】図１のＡ部分の拡大図である。
【図３】アクションの作動状態を示す図である。
【図４】別の形状のフックを示す図である。
【図５】第２実施形態を示す図である。
【図６】従来のアップライトピアノのアクションを示す図である。
【符号の説明】
【００５８】
１・・・アクション、１１・・・弦、２１・・・ハンマアセンブリ、
２２・・・ハンマシャンク、２３・・・ハンマレール、２４・・・ハンマレールクロス、３１・・・バット、３２・・・バットスプリング、３３・・・バットフレンジ、
３４・・・ピン、３５・・・レギュレチングボタン、３６・・・レギュレチングレール、３７・・・バットスキン、４１・・・キャッチャ、４２・・・キャッチャシャンク、
４３・・・フック、５１・・・ウイペン、５２・・・ウイペンヒール、
５３・・・ウイペンフレンジ、５４・・・ピン、５５・・・キャプスタン、
６０、６０ａ・・・遅延機構、６１・・・バックチェック、６２・・・コード、
６３・・・スプリング、６３ａ・・・一端、６３ｂ・・・他端、
６４、６４ａ・・・レバー、６４ｂ・・・当接部、６５・・・ピン、
６６・・・レバーフレンジ、６７・・・ロッド、６８・・・ブライドルテープ、
６９・・・ブライドルワイヤ、７１・・・ダンパレバー、
７２・・・ダンパレバースプリング、７３・・・ダンパワイヤ、
７４・・・ダンパヘッド、７５・・・制振部、７６・・・ダンパフレンジ、
７７・・・ピン、７８・・・ダンパスプーン、８１・・・ジャック、
８２・・・ジャックフレンジ、８３・・・ピン、８４・・・ジャック大、
８５・・・ジャック小、８６・・・ジャックスプリング、９１・・・センタレール、
９２・・・ブラケット、１００・・・アクション、１１０・・・鍵盤、
１１１・・・ウイペン、１１２・・・バックチェック、１１３・・・ジャック、
１１４・・・バット、１１５・・・キャッチャ、１１６・・・ハンマアセンブリ、
１１７・・・レギュレチングボタン、１１８・・・センタレール、
１１９・・・キャプスタン、１２１・・・弦、１２２・・・ダンパレバー
１２３・・・バットスプリング
【図１】
2005345896.tif 000003
【図２】
2005345896.tif 000004
【図３】
2005345896.tif 000005
【図４】
2005345896.tif 000006
【図５】
2005345896.tif 000007
【図６】
2005345896.tif 000008